(57)【要約】      （修正有）【課題】快適かつしっかりと胸部を支えることができるブラジャー向けの胸部カップの下部周辺部内に配置するための支持構造を提供する。【解決手段】着用者の胸部の少なくとも下面の曲線をたどるように成形された支持構成要素２００を備え、支持構成要素は、第１のポリマー材料によって形成された第１の領域２１０と、第２のポリマー材料によって形成された第２の領域２２０とを含み、第１のポリマー材料は第２のポリマーより硬い。【選択図】図３
0003173285.tif 000002
【実用新案登録請求の範囲】
【請求項１】
ブラジャー向けの胸部カップの下部周辺部内に配置するための支持構造であって、
着用者の胸部の少なくとも下面の曲線をたどるように成形された支持構成要素を備え、前記支持構成要素は、第１のポリマー材料によって形成された第１の領域と、第２のポリマー材料によって形成された第２の領域とを含み、前記第１のポリマー材料は前記第２のポリマーより硬いことを特徴とする支持構造。
【請求項２】
前記第１の領域は支持構成要素の芯を含み、前記第２の領域は前記第１の領域を取り囲むことを特徴とするブラジャー向けの胸部カップの下部周辺部内に配置するための請求項１に記載の支持構造。
【請求項３】
前記第１の領域は、前記第２の領域の厚さより大きい厚さの少なくとも一面積を有することを特徴とするブラジャー向けの胸部カップの下部周辺部内に配置するための請求項１に記載の支持構造。
【請求項４】
前記厚さは、前記第１の領域の前記芯における最大厚さから前記第２の領域の前記周辺部における最小厚さへ先細りすることを特徴とするブラジャー向けの胸部カップの下部周辺部内に配置するための請求項３に記載の支持構造。
【請求項５】
前記第１の領域はポリプロピレンから形成されることを特徴とするブラジャー向けの胸部カップの下部周辺部内に配置するための請求項１に記載の支持構造。
【請求項６】
前記第２の領域は熱可塑性ゴムから形成されることを特徴とするブラジャー向けの胸部カップの下部周辺部内に配置するための請求項１に記載の支持構造。
【請求項７】
前記第１の領域の硬度はショアＡ９５であることを特徴とするブラジャー向けの胸部カップの下部周辺部内に配置するための請求項１に記載の支持構造。
【請求項８】
前記第２の領域の硬度はショアＡ７０であることを特徴とするブラジャー向けの胸部カップの下部周辺部内に配置するための請求項１に記載の支持構造。
【請求項９】
前記第１の領域のロックウェル硬度は８５Ｒから１２５Ｒの範囲内であることを特徴とするブラジャー向けの胸部カップの下部周辺部内に配置するための請求項１に記載の支持構造。
【請求項１０】
前記第２の領域のロックウェル硬度は５５Ｒから８５Ｒの範囲内であることを特徴とするブラジャー向けの胸部カップの下部周辺部内に配置するための請求項１に記載の支持構造。
【請求項１１】
ブラジャーであって、
２つの胸部カップを備え、前記２つの胸部カップはそれぞれ、
外側の織物層を含む外側パネルと、
着用者の皮膚に当たるように着用される内側の織物層を含む内側パネルと、
前記外側パネルと前記内側パネルの間に位置決めされ、着用者の胸部の少なくとも下面の曲線をたどるように成形された支持構成要素と、
前記２つの胸部カップの内側領域間に延びる中間架橋領域と、
前記２つの胸部カップの一方の外側領域から前記２つの胸部カップの他方の外側領域へ延びて前記ブラジャーを前記着用者の胴へ固定するバックストラップとを含み、
前記支持構成要素は、第１のポリマー材料によって形成された第１の領域と、第２のポリマー材料によって形成された第２の領域とを含み、前記第１のポリマー材料は前記第２のポリマーより硬いことを特徴とするブラジャー。
【請求項１２】
前記第１の領域は前記支持構成要素の芯を含み、前記第２の領域は前記第１の領域を取り囲むことを特徴とする請求項１１に記載のブラジャー。
【請求項１３】
前記第１の領域は、前記第２の領域の厚さより大きい厚さの少なくとも一面積を有することを特徴とする請求項１１に記載のブラジャー。
【請求項１４】
前記厚さは、前記第１の領域の芯における最大厚さから前記第２の領域の周辺部における最小厚さへ先細りすることを特徴とする請求項１３に記載のブラジャー。
【請求項１５】
前記第１の領域はポリプロピレンから形成されることを特徴とする請求項１１に記載のブラジャー。
【請求項１６】
前記第２の領域は熱可塑性ゴムから形成されることを特徴とする請求項１１に記載のブラジャー。
【請求項１７】
前記第１の領域の硬度はショアＡ９５であることを特徴とする請求項１１に記載のブラジャー。
【請求項１８】
前記第２の領域の硬度はショアＡ７０であることを特徴とする請求項１１に記載のブラジャー。
【請求項１９】
前記第１の領域のロックウェル硬度は８５Ｒから１２５Ｒの範囲内であることを特徴とする請求項１１に記載のブラジャー。
【請求項２０】
前記第２の領域のロックウェル硬度は５５Ｒから８５Ｒの範囲内であることを特徴とする請求項１１に記載のブラジャー。
【考案の詳細な説明】
【技術分野】
【０００１】
本考案は、一般に、下着、すなわちブラジャー、および水着を含む類似の下着を支持することに関する。より詳細には、本考案は、ブラジャー内の胸部カップで使用するための改善された支持構造に関する。改善された支持構造を組み込むブラジャーも提供される。
【背景技術】
【０００２】
従来のブラジャーは、着用者の胸部を覆って支持するための１対の胸部カップと、着用者の胸の谷間でカップの内縁部をともに固定する接合部と、胸部カップの外縁部から着用者の背部の周りに延びる少なくとも１つのストラップ状のバックまたはウイング（ｗｉｎｇ）とから構成される。ブラジャーは、胸部カップの上縁部から着用者の肩を越えて、着用者の背部を横断するストラップ状のバックまたはウイングの取付け点まで延びるショルダーストラップをさらに含むことができる。
【０００３】
また、各胸部カップの下部周辺部を成形および支持するために、アンダーワイアを使用することが標準的である。アンダーワイアは通常、金属または硬質のプラスチック材料から形成されたＵ字状の枠からなる。通常、ブラジャーまたは類似の下着内には１対のアンダーワイアを組み込んで、１対の胸部カップに形状および支持を提供する。しかし、いくつかの形式では、アンダーワイアは、両方の胸部カップを横切る単一のアンダーワイア枠を備えることができる。
【考案の概要】
【考案が解決しようとする課題】
【０００４】
アンダーワイアは通常、１片の連続する平面のワイアを構成する。アンダーワイアは通常、ブラジャーのバックストラップまたはウイングが着用者の胴周りに締め付けられたときにアンダーワイアに印加される力によって、アンダーワイアが着用者の体型の全体的な形状を呈することができるような特定の柔軟度を提供する材料から形成されるが、アンダーワイアを形成するために使用される材料の性質が実質上硬質である結果、均一とはいえない圧力が着用者の体型に作用し、不快をもたらす。快適さのレベルを改善するためにアンダーワイアをより柔軟にするための努力の結果、それに対応して、安定化機能が失われる。
【０００５】
改善された支持構造を提供することによって、着用者の快適さを最大にしながら、同時に強化された支持を提供することが望ましいであろう。
【０００６】
本考案の他の目的および利点は、以下の明細書を図面とともに参照すれば、当業者には明らかになるであろう。
【課題を解決するための手段】
【０００７】
本考案の一態様によれば、ブラジャー向けの胸部カップの下部周辺部内に配置するための支持構造であって、
着用者の胸部の少なくとも下面の曲線をたどるように成形された支持構成要素を備え、支持構成要素は、第１のポリマー材料によって形成された第１の領域と、第２のポリマー材料によって形成された第２の領域とを含み、第１のポリマー材料は第２のポリマーより硬い、支持構造が提供される。
【０００８】
本考案の支持構成要素は、従来のアンダーワイアに対する代替手段を提供し、強化された胸部の支持および快適さを着用者に提供する。
【０００９】
支持構成要素の第１の領域は支持構成要素の芯を含むことができ、第２の領域は第１の領域を取り囲む。
【００１０】
第１の領域は、第２の領域の厚さより大きい厚さの少なくとも一面積を有することができる。この厚さは、第１の領域の芯における最大厚さから第２の領域の周辺部における最小厚さへ先細りすることが好ましい。
【００１１】
第１の領域は、ポリプロピレンから形成することができる。
【００１２】
第２の領域は、熱可塑性ゴムから形成することができる。
【００１３】
好ましい実施形態では、第１の領域の硬度はショアＡ９５であり、第２の領域の硬度はショアＡ７０である。
【００１４】
別の好ましい実施形態では、第１の領域のロックウェル硬度は８５Ｒから１２５Ｒの範囲内であり、第２の領域のロックウェル硬度は５５Ｒから８５Ｒの範囲内である。
【００１５】
本考案の別の態様によれば、ブラジャーであって、
２つの胸部カップを備え、２つの胸部カップはそれぞれ、
外側の織物層を含む外側パネルと、
着用者の皮膚に当たるように着用される内側の織物層を含む内側パネルと、
外側パネルと内側パネルの間に位置決めされ、着用者の胸部の少なくとも下面の曲線をたどるように成形された支持構成要素と、
２つの胸部カップの内側領域間に延びる中間架橋領域と、
２つの胸部カップの一方の外側領域から２つの胸部カップの他方の外側領域へ延びてブラジャーを着用者の胴へ固定するバックストラップとを含み、
支持構成要素は、第１のポリマー材料によって形成された第１の領域と、第２のポリマー材料によって形成された第２の領域とを含み、第１のポリマー材料は第２のポリマーより硬い、ブラジャーが提供される。
【００１６】
第１の領域は支持構成要素の芯を含むことができ、第２の領域は第１の領域を取り囲む。
【００１７】
第１の領域は、第２の領域の厚さより大きい厚さの少なくとも一面積を有することができる。この厚さは、第１の領域の芯における最大厚さから第２の領域の周辺部における最小厚さへ先細りすることが好ましい。
【００１８】
第１の領域は、ポリプロピレンから形成することができる。
【００１９】
第２の領域は、熱可塑性ゴムから形成することができる。
【００２０】
好ましい実施形態では、第１の領域の硬度はショアＡ９５であり、第２の領域の硬度はショアＡ７０である。
【００２１】
別の好ましい実施形態では、第１の領域のロックウェル硬度は８５Ｒから１２５Ｒの範囲内であり、第２の領域のロックウェル硬度は５５Ｒから８５Ｒの範囲内である。
【００２２】
本考案のさらに別の態様によれば、ブラジャー向けの胸部カップを作製する方法であって、
外側の織物層を含む外側パネルを形成するステップと、
着用者の皮膚に当たるように着用される内側の織物層を含む内側パネルを形成するステップと、
胸部カップの下部領域内に位置するように、外側パネルと内側パネルの間に、着用者の胸部の少なくとも下面の曲線をたどるように成形された支持構成要素を位置決めするステップと、
外側パネルと内側パネルの間に支持構成要素が存在する状態で、外側パネルを内側パネルへ積層するステップと、
積層されたパネルを切り取って胸部カップを画定するステップとを含み、
支持構成要素は、第１のポリマー材料によって形成された第１の領域と、第２のポリマー材料によって形成された第２の領域とを含み、第１のポリマー材料は第２のポリマーより硬い、方法が提供される。
【００２３】
外側パネルおよび内側パネルを形成するステップは、それぞれの織物層を発泡層と積層して、積層されたパネルを形成するステップを含むことができる。
【００２４】
内側パネルおよび外側パネルを形成するステップは、胸部カップ形状を形成するように積層されたパネルを成型するステップをさらに含むことができる。
【００２５】
一実施形態では、積層された織物層および発泡層を成型するステップは、
外側パネルまたは内側パネル上で第１の成型ステップを実行して胸部カップ形状を形成するステップと、
胸部カップの下部領域内に位置するように成型されたパネル上または内側に支持構成要素を位置決めするステップと、
成型されたパネルおよび支持構成要素を覆って対応する内側パネルまたは外側パネルを配置して、層状アセンブリを形成するステップと、
第２の成型ステップにおいて層状アセンブリ上で第２の成型ステップを実行して、胸部カップ形状を形成するステップと、
成型された層状アセンブリを切り取って胸部カップを画定するステップとを含む。
【００２６】
以下、本考案の理解を容易にする添付の図を参照して本考案についてより詳細に説明すると好都合であろう。図および関連する説明の具体性は、添付の実用新案登録請求の範囲に与えられる本考案の広い識別の一般性に取って代わると理解されるべきではない。
【図面の簡単な説明】
【００２７】
【図１】典型的なブラジャーの概略図である。
【図２Ａ】本考案の一実施形態による支持構成要素の内側表面を示す上面図である。
【図２Ｂ】図２Ａの支持構成要素の上縁部を示す上面図である。
【図３】各胸部カップ内の支持構成要素の位置を示すブラジャーの概略正面図である。
【図４】着用者の胸部の下面へ合わせたときの図２Ａの支持構成要素の位置を示す概略正面図である。
【図５Ａ】着用者の胸部の下面へ合わせたときの図２Ａの支持構成要素の位置を示す側面図である。
【図５Ｂ】図５Ａの支持構成要素の横断面図である。
【図６】本考案の支持構造を組み込む成型された胸部カップの等角図である。
【考案を実施するための形態】
【００２８】
図１を最初に参照すると、着用者の胸部を覆って支持するための１対の胸部カップ１１０と、着用者の胸の谷間でカップの内縁部１３０をともに固定する接合部１２０と、胸部カップの外縁部１５０から着用者の背部の周りに延びる少なくとも１つのストラップ状のバックまたはウイング１４０とから構成される典型的なブラジャー１００が示されている。ブラジャー１００は、胸部カップ１１０の上縁部１７０から着用者の肩を越えて、着用者の背部を横断する１つまたは複数のバックウイング１４０上の取付け点１８０まで延びるショルダーストラップ１６０をさらに含むことができる。ブラジャー１００は、各胸部カップ１１０の下部周辺部１９０を成形および支持するために、１対の実質上Ｕ字状のアンダーワイアをさらに含む。
【００２９】
図２Ａを次に参照すると、ブラジャー１００内の胸部カップ１１０の下部周辺部１９０に近接して配置するための支持構造が示されている。支持構成要素２００は、着用者の胸部の曲線をたどるように成形される。支持構成要素２００は、従来のアンダーワイアに対する代替の改善された支持構造を提供し、強化された胸部の支持および快適さを着用者に提供する。
【００３０】
支持構成要素２００は第１の領域２１０を含み、第１の領域２１０の少なくとも一部は、支持構成要素の芯を構成する。第１の領域２１０は、第１のポリマー材料によって形成される。第２の領域２２０が第１の領域を取り囲み、第２のポリマー材料によって形成される。第１のポリマー材料および第２のポリマー材料は、軽量であり、弾性的に変形可能であり、かつ安価に製造できるなどの特性を呈するように選択される。たとえば、第１のポリマー材料および第２のポリマー材料は、適切なタイプのプラスチックとすることができる。しかし、支持構成要素２００の第１の領域２１０または芯を形成するために使用される第１のポリマー材料は、周囲の第２の領域２２０を形成するために使用される第２のポリマー材料より硬くしなければならない。
【００３１】
第１のポリマー材料の硬度は、支持構成要素２００の第１の領域２１０が着用者の胸部に支持を提供できるのに十分な、すなわち従来の金属アンダーワイアの代用品として十分な硬度でなければならない。支持構成要素２００の第２の領域２２０を形成する第２のポリマー材料の硬度は、支持構成要素２００の第１の領域２１０から胸部カップを形成する積層された織物層および／または発泡層へ比較的平滑な硬度の遷移を提供するような硬度である。支持構成要素２００の剛性が段階的に低下しないで、第１のポリマー材料から形成された第１の領域２１０と胸部カップの「柔らかい」織物および／または発泡構成要素の硬度の差がない場合、支持構成要素は、胸部カップ内で目で見ても手で触ってもはっきりわかるはずであり、これは望ましくない結果である。
【００３２】
支持構成要素２００の第１の領域２１０および第２の領域２２０を形成するためにそれぞれ使用される第１のポリマー材料と第２のポリマー材料の硬度の差に加えて、支持構成要素の第１の領域および第２の領域の厚さの変動が存在することもある。材料の厚さは材料の硬度に影響を与えるため、第１の領域２１０は、第２の領域２２０より厚い。一実施形態では、厚さの変動は、第１の領域２１０の内側表面、すなわち使用中に着用者の皮膚に最も近い側面を第２のポリマー材料で被覆することによって実現される。これはまた、着用者の皮膚により近い材料（図６Ｂ参照）が支持構成要素２００の芯より低い硬度のものであるため、緩衝効果を提供する。厚さの変動は、支持構成要素２００と胸部カップを形成する「柔らかい」織物および／または発泡構成要素との間の平滑な遷移をさらに容易にする。この厚さは、第１の領域２１０の芯における最大厚さから第２の領域２２０の周辺部における最小厚さへ先細りすることが好ましい。
【００３３】
支持構成要素２００の第１の領域２１０を形成するために使用される第１のポリマー材料は、ポリプロピレン、またはポリプロピレンとエチレン−プロピレンゴムを混合することによって作られる耐衝撃性ポリプロピレン共重合体などのプラスチックであることが好ましい。第１の材料の硬度は、炭酸カルシウム（ＣａＣＯ3）を添加することによって調整することができる。支持構成要素２００の第２の領域２２０を形成するために使用されるより低い硬度の第２のポリマー材料は、熱可塑性ゴムまたは類似のものとすることが好ましい。一実施形態では、第１のポリマー材料の好ましい硬度はショアＡ９５であり、第２のポリマー材料の好ましい硬度はショアＡ７０である。別の実施形態では、第１のポリマー材料のロックウェル硬度は８５Ｒから１２５Ｒの好ましい範囲内であり、第２のポリマー材料のロックウェル硬度は５５Ｒから８５Ｒの好ましい範囲内である。
【００３４】
図３および４を次に参照すると、支持構成要素２００の形状が通常どのように２次元で得られるかが示されている。支持構成要素２００の第１の領域２１０または「硬い芯領域」は、着用者の体型のうち普通なら従来のアンダーワイア２３０に接触するはずの領域、すなわち胸部組織を支持するためにある程度の剛性が必要とされる着用者の胸部の少なくとも下面に一致するように成形される。次いで、支持構成要素２００の第１の領域２１０は、支持構成要素から柔らかい胸部カップ構成要素への平滑な遷移を容易にするために、硬度を低減させた第２の領域２２０によって取り囲まれる。支持構成要素２００は、着用者の３次元の体型に密接に一致するように、３次元で成形される。したがって、支持構成要素２００は、着用者に対して快適なフィット性を提供するように、少なくとも２つの垂直軸の周りで湾曲する。
【００３５】
図３および図４に示すように、支持構成要素２００はまた、着用者の胸部の外側周辺部に支持を提供するように（着用者の向きに対して）上方へ延び、その結果、図４に矢印で示すように、全体的な「プッシュアップ（ｐｕｓｈ  ｕｐ）」および「プッシュイン（ｐｕｓｈ  ｉｎ）」効果をもたらすことが好ましい。
【００３６】
支持構成要素の利点は、本考案の支持構成要素によって提供される支持が、胸部カップの周辺部における支持しか提供しない従来のアンダーワイアと比較すると胸部カップの中心の方へさらに延びるため、従来のアンダーワイアと比較すると強化された胸部の支持を提供することである。さらに、支持構成要素は、着用者の胸部に接触する総表面積がより大きく、その結果、従来のアンダーワイアの狭い接触より接触領域が広くなり、圧力が均等に分配されるため、強化された快適さを提供する。
【００３７】
図５Ａを次に参照すると、着用者の胸部に合わせた支持構成要素２００の側面図が示されており、支持構成要素２００の形状を３次元でさらに示す。図５Ｂに示すこの図の横断面は、第１の領域２１０の内側表面５１５が、第２の領域２２０を形成するために使用される第２のポリマー材料で被覆される、支持構成要素２００の代替的実施形態を示す。第２のポリマー材料の硬度が第１のポリマー材料に対して低減されていることから、被覆された表面は、使用の際には、着用者の皮膚の最も近くで着用されるはずである。
【００３８】
支持構成要素のこの変形形態は、まず第１のポリマー材料を射出し、次に第２のポリマー材料を射出する２ステップの射出成型プロセスによって実現することができる。あるいは、第１のポリマー材料と第２のポリマー材料を同時に射出する単一ステップの射出成型プロセスを使用することもできる。
【００３９】
好ましい実施形態では、外側の発泡層に外側の織物層を積層して外側パネルを形成し、内側の発泡層に内側の織物層を積層して内側パネルを形成する。次いで、外側パネルと内側パネルの間で、胸部カップの下部周辺部に概ね対応する位置に、支持構成要素を配置する。しかし、本考案の支持構成要素はまた、１つの発泡層しかない、または発泡層のない、すなわち外側パネルおよび／または内側パネルが織物層だけを含む胸部カップ内でも使用できることを理解されたい。
【００４０】
通常、本考案の支持構成要素２００を含む上述した胸部カップは、２ステップの成型プロセスによって製造される。第１の成型ステップ中、外側パネルを形成する外側の織物層および外側の発泡層（または場合によっては、内側パネルを形成する内側の織物層および内側の発泡層）は、所望の３次元の胸部カップ形状を呈するように成型、たとえば熱加圧される。次いで、支持構成要素を定位置に配置し、内側パネル（または場合によっては、外側パネル）をその上に配置する。発泡層は、事前に添加された接着剤を有し、したがって第２の成型ステップで内側パネルと外側パネルを、たとえば熱加圧を使用してともに積層し、支持構成要素を組み込む成型された胸部カップを形成する。次いで、成型された胸部カップを切り取って、所望の形状を実現する。
【００４１】
図６を次に参照すると、記載の方法によって形成された成型された胸部カップ６００の横断面が示されている。成型された胸部カップ６００は、外側パネルを形成する外側の織物層６１０および外側の発泡層６２０と、内側パネルを形成する内側の織物層６３０および内側の発泡層６４０とを含み、これらの間に支持構成要素２００が挟まれている。
【００４２】
本考案について、限られた数の実施形態に関連して説明したが、上記の説明を考慮して多くの代替形態、修正形態、および変更形態が可能であることが当業者には理解されるであろう。したがって、本考案は、開示される本考案の精神および範囲の範囲内に入るそのような代替形態、修正形態、および変更形態をすべて包含するものとする。
【符号の説明】
【００４３】
１００  ブラジャー
１１０，６００  胸部カップ
２００  支持構成要素
２１０  第１の領域
２２０  第２の領域
【図１】
0003173285.tif 000003
【図２Ａ】
0003173285.tif 000004
【図２Ｂ】
0003173285.tif 000005
【図３】
0003173285.tif 000006
【図４】
0003173285.tif 000007
【図５Ａ】
0003173285.tif 000008
【図５Ｂ】
0003173285.tif 000009
【図６】
0003173285.tif 000010